(57)【要約】【課題】  クーリングタワーなどの殺菌、殺藻を簡単且つ確実に行うことができ、しかも設備を傷めることもない殺菌／殺藻装置を提供する。【解決手段】  循環装置内の循環水の中に投入することにより、循環水の殺菌／殺藻を行うことができる循環装置の殺菌／殺藻装置であって、制御装置４０の電源から夫々銀電極棒２１と銅電極棒２２を通電することにより銀イオンと銅イオンを水中に溶解して放出する金属イオン発生部２と、天然セラミックである緑色片岩３１を収納した天然セラミック収納部３と、複数の６極フェライトマグネット３２を収納したマグネット収納部４とを備えるようにした。【選択図】  図２
2006346670.tif 000002
【特許請求の範囲】
【請求項１】
循環装置内の循環水の中に投入することにより、前記循環水の殺菌／殺藻を行うことができる循環装置の殺菌／殺藻装置であって、
装置本体と、該装置本体を制御する制御装置とから成り、
前記装置本体は、金属電極の金属イオンを水中に溶解して放出する金属イオン発生部と、天然セラミックである緑色片岩を収納した天然セラミック収納部と、複数のマグネットを収納したマグネット収納部と、を備え、
前記制御装置は、前記金属イオン発生部の金属電極を通電する電源と、前記電源による前記金属電極の通電時間を制御するタイマ手段と、を備えることを特徴とする循環装置の殺菌／殺藻装置。
【請求項２】
循環装置内の循環水の水面上に設置され、前記循環水の殺菌／殺藻を行う循環装置の殺菌／殺藻装置であって、
側面上方に内部に貯水した水を流出させるための流出口を有する矩形容器により構成される装置本体と、該装置本体を制御する制御装置とから成り、
前記装置本体内には、金属電極の金属イオンを水中に溶解して放出する金属イオン発生部と、天然セラミックである緑色片岩を収納した天然セラミック収納部と、複数のマグネットを収納したマグネット収納部と、前記装置本体内に外部給水栓からの水を散水する散水管と、を備え、
前記制御装置は、前記外部給水栓から前記散水管への水の供給を断続する断続手段と、前記金属イオン発生部の金属電極を通電する電源と、前記電源による前記金属電極の通電時間と前記断続手段による前記外部給水栓から前記散水管へ水を供給する給水時間とを制御するタイマ手段と、を備え、前記金属電極の通電と前記散水管からの散水を同時に行うことを特徴とする循環装置の殺菌／殺藻装置。
【請求項３】
前記金属イオン発生部は、金属電極として銀電極と銅電極を備え、前記制御装置の電源から夫々銀電極と銅電極を通電することにより銀イオンと銅イオンを水中に溶解して放出することを特徴とする請求項１又は２に記載の循環装置の殺菌／殺藻装置。
【請求項４】
前記マグネットは、６極フェライトマグネットであることを特徴とする請求項１又は２に記載の循環装置の殺菌／殺藻装置。
【請求項５】
前記電源がソーラ発電機と蓄電装置とから成るソーラ電源であることを特徴とする請求項１又は２に記載の循環装置の殺菌／殺藻装置。
【発明の詳細な説明】
【技術分野】
【０００１】
本発明は、例えばクーリングタワー等の循環装置内を循環する循環水中の細菌類や藻類を殺菌・殺藻すると共に、循環水を浄化して活性水にするのに好適な循環装置の殺菌／殺藻装置に関するものである。
【背景技術】
【０００２】
従来から空調設備の一つで循環水を冷却するための機器としてクーリングタワー（冷却塔）が知られている。クーリングタワーは、循環水を水滴にして流下させながら送風機で風を送り、外気と接触させることで水温を下げ冷却するようにしていた。
クーリングタワーでは、その内部を循環する循環水の水質悪化を防ぐために、通常は塩素などの化学薬品を使用して水質悪化を防止するようにしている。
【０００３】
なお、特許文献１には、経済的に安価で、安全性が高く、トリハロメタン類等が生成せず、且つ効果の高い工業用廃水系の汚染防止方法を提供するために、塩化ナトリウム水溶液を有隔膜電解してアノード室側から得られた酸性水を直接、または当該酸性水に用廃水および／またはアルカリ水溶液を混合して所望のｐＨに調整し、工業用用廃水に添加する技術が開示されている。
【特許文献１】特開２００２−１１３４６９公報
【発明の開示】
【発明が解決しようとする課題】
【０００４】
しかしながら、クーリングタワーに塩素系殺菌剤を投入した場合、水中の汚れ成分と反応して殺菌効果が劣る結合塩素ができてしまうという欠点があった。
また塩素系殺菌剤の投入を継続すると、結合塩素の反応が終了してから結合塩素が分解し、逆に殺菌効果のある遊離塩素が生成され、塩素濃度が高くなり過ぎて水質値管理が難しくなるうえ塩素殺菌の効果が出にくくなるといった欠点があった。
さらに塩素系殺菌剤を使用した場合は、温水状態でガス化して安定しないため、高濃度管理にならざるを得ない。またｐＨの影響を受けやすいのでｐＨが７．０〜７．２の範囲となるように常に調整しなければならないという欠点があった。
さらに塩素系殺菌剤は金属部位を腐食させる要因になるため、設備を傷めるという欠点もあった。
【０００５】
そこで本発明は、このような問題点を鑑みてなされたものであり、クーリングタワーなどの殺菌、殺藻を簡単、且つ、確実に行うことができ、しかも設備を傷めることもない殺菌／殺藻装置を提供することを目的とする。
【課題を解決するための手段】
【０００６】
上記目的を達成するため、請求項１に記載の発明は、循環装置内の循環水の中に投入することにより、前記循環水の殺菌／殺藻を行うことができる循環装置の殺菌／殺藻装置であって、装置本体と、該装置本体を制御する制御装置とから成り、前記装置本体は、金属電極の金属イオンを水中に溶解して放出する金属イオン発生部と、天然セラミックである緑色片岩を収納した天然セラミック収納部と、複数のマグネットを収納したマグネット収納部と、を備え、前記制御装置は、前記金属イオン発生部の金属電極を通電する電源と、前記電源による前記金属電極の通電時間を制御するタイマ手段と、を備えることを特徴とする。
【０００７】
請求項２に記載の発明は、循環装置内の循環水の水面上に設置され、前記循環水の殺菌／殺藻を行う循環装置の殺菌／殺藻装置であって、側面上方に内部に貯水した水を流出させるための流出口を有する矩形容器により構成される装置本体と、該装置本体を制御する制御装置とから成り、前記装置本体内には、金属電極の金属イオンを水中に溶解して放出する金属イオン発生部と、天然セラミックである緑色片岩を収納した天然セラミック収納部と、複数のマグネットを収納したマグネット収納部と、前記装置本体内に外部給水栓からの水を散水する散水管と、を備え、前記制御装置は、前記外部給水栓から前記散水管への水の供給を断続する断続手段と、前記金属イオン発生部の金属電極を通電する電源と、前記電源による前記金属電極の通電時間と前記断続手段による前記外部給水栓から前記散水管へ水を供給する給水時間とを制御するタイマ手段と、を備え、前記金属電極の通電と前記散水管からの散水を同時に行うことを特徴とする。
【０００８】
また請求項３に記載の発明は、前記金属イオン発生部は、金属電極として銀電極と銅電極を備え、前記制御装置の電源から夫々銀電極と銅電極を通電することにより銀イオンと銅イオンを水中に溶解して放出することを特徴とする。
また請求項４に記載の発明は、前記マグネットは、６極フェライトマグネットであることを特徴とする。
また請求項５に記載の発明は、前記電源は、ソーラ発電機であることを特徴とする。
【発明の効果】
【０００９】
本発明は、銀イオンと銅イオンを水中に溶解して放出する金属イオン発生部と、天然セラミックである緑色片岩を収納した天然セラミック収納部と、複数のマグネットを収納したマグネット収納部とを備える装置本体をクーリングタワーなどの循環装置の循環水中に投入することにより、金属イオンと天然セラミックにより循環装置の循環水中の細菌類や藻類を殺菌・殺藻すると共に、マグネット収納部のマグネットの反発により水の通水時に水分子構造を微細化させる働きを促すことで殺菌作用と水質浄化作用と複合的に行うようにした。このようにすれば、塩素系殺菌剤を使用したときのように循環装置内の設備を傷めることなく、循環装置内の循環水の殺菌／殺藻を行うことが可能になる。
【００１０】
また本発明は、銀イオンと銅イオンを水中に溶解して放出する金属イオン発生部と、天然セラミックである緑色片岩を収納した天然セラミック収納部と、複数のマグネットを収納したマグネット収納部とを備える装置本体を循環装置の循環水の水面上に配置して、金属電極への通電と同時に外部給水栓から散水管を通して装置本体内に給水を行うことで、金属イオンと天然セラミックの成分が溶け出した水が装置本体の側面上方に位置する流出口から循環装置内へ流出させるようにした。これにより、循環装置の循環水中に含まれる細菌類や藻類を殺菌・殺藻すると共に、マグネット収納部のマグネットの反発により水の通水時に水分子構造を微細化させる働きを促すことで殺菌作用と水質浄化作用と複合的に行う事が可能になる。この結果、塩素系殺菌剤を使用したときのように循環装置内の設備を傷めることなく、循環装置内の循環水の殺菌／殺藻を行うことが可能になる。
【００１１】
また本発明は、装置本体を循環装置の循環水の水面上に配置し、装置本体内において金属イオンと天然セラミックの成分が溶け出し、しかも装置本体から溢れ出た水を循環装置の循環水に含ませるようにした。これより、循環装置内の循環水に含まれる不純物が装置本体内の金属電極に付着して金属電極の通電率が低下することにより、殺菌／殺藻能力が低下するのを防止することができる。
【００１２】
さらに、制御装置により金属電極の通電と散水管からの散水が同時に行われるように制御することで、金属電極から金属イオンが発生する際に金属電極周辺の水を対流させ、金属電極から溶けた金属イオンが結晶化して金属電極に付着するのを防止するようにした。これにより、金属イオンの結晶化により金属電極に金属イオン膜が形成され、金属電極の通電率が低下することにより、殺菌／殺藻能力が低下したり、或いは金属イオンの再結晶化により金属電極が膨張して＋側の金属電極と−側の金属電極が接触して短絡したりするといった不具合の発生を防止することができる。
【発明を実施するための最良の形態】
【００１３】
以下、図面を参照しながら、本発明の循環装置の殺菌／殺藻装置の実施形態について説明する。
図１は本発明の第１の実施形態に係る殺菌／殺藻装置の概略構成を示した外観斜視図である。また図２は、第１の実施形態の殺菌／殺藻装置本体の内部構成を示した図であり、（ａ）はその上面図、（ｂ）は正面図、（ｃ）は側面図である。
図１に示す殺菌／殺藻装置１は、装置本体１０と、装置本体１０に電源を供給するための電源等を備えた制御装置４０とから構成される。装置本体１０は金属電極棒を収納した金属イオン発生部２と、天然セラミックである緑色片岩を収納したセラミック収納部３と、マグネットを収納したマグネット収納部４とから構成される。なお、セラミック収納部３とマグネット収納部４については後述する。
【００１４】
金属イオン発生部２は長方形状の金属筐体２ａからなり、その上部であって短手方向両側には装置を把持するための取手１１、１１が取り付けられている。また金属筐体２ａの上部には制御装置４０からの配線１２、１２をカバーする配線カバー１３、１３が取り付けられている。
金属イオン発生部２の内部には、図２（ａ）に示すように複数本の銀電極棒２１と、複数本の銅電極棒２２とが直線状に取り付けられている。また、これらの銀電極棒２１と銅電極棒２２と対をなすように複数本のステンレス棒２３が同じく直線上に取り付けられている。これら銀電極棒２１、銅電極棒２２及びステンレス棒２３には、配線１２、１２を介して制御装置４０の電源から間欠的に直流電圧が印加される。なお、銀電極棒２１と銅電極棒２２との間に仕切板等を配置して仕切るようにしても良い。
【００１５】
図３は制御装置４０の内部構成を示した図である。
この図３に示す制御装置４０は、商用電源に接続されて漏電を遮断する漏電遮断器４１と、漏電遮断器４１を介して供給される商用電圧の所定時間だけオンにするタイマ装置４２、４３と、タイマ装置４２から供給される交流電圧を所定レベルの直流電圧に変換して銀電極棒２１に供給するＡＣ／ＤＣ電源４４と、タイマ装置４３から供給される交流電圧を所定レベルの直流電圧に変換して銅電極棒２２に供給するＡＣ／ＤＣ電源４５とを備えて構成される。
【００１６】
図１に戻り、装置本体１０の天然セラミック収納部３は、例えばセラミック等の金属製で多数の長孔３ｂが形成された筐体３ａが筐体２ａの側面にビス等によって取り付けられている。天然セラミック収納部３の内部には天然セラミックである緑色片岩３１が収納されている。また、図２（ｃ）に示すように筐体３ａが取り付けられる筐体２ａの側面は開口面３Ｃになっている。
天然セラミックである緑色片岩３１は、断層粘土の集合体で三波川変成岩に属し、図４に示すような組成の物質である。なお、緑色片岩３１の殺菌機能については後述する。
また図１に示す装置本体１０のマグネット収納部４も天然セラミック収納部３の筐体３ａと同様、セラミック等の金属製で多数の長孔４ｂが形成された筐体４ａが筐体２ａの側面にビス等によって取り付けられている。なお、この場合も図２（ｃ）に示すように、筐体４ａが取り付けられる筐体２ａの側面は開口面４Ｃになっている。マグネット収納部４の内部には、例えば図５に示すような６極フェライトマグネット３２が複数配置されている。
【００１７】
図２に示す例では複数の６極フェライトマグネット３２が直線上に配列されているマグネット群が上下に配置されている。また、第１の実施形態では、銀電極棒２１及び銅電極棒２２の各電極間にも夫々６極フェライトマグネット３２が配置されている。なお、６極フェライトマグネット３２の数量は、マグネット自体の大きさや装置本体１０の大きさや、各電極間の間隔、本数等の条件により適宜設定すれば良い。
【００１８】
このように第１の実施形態の殺菌／殺藻装置１は、装置本体１０に銀イオンと銅イオンを水中に溶解して放出する金属イオン発生部２を構成し、その両側に天然セラミックである緑色片岩３１を収納した天然セラミック収納部３と、複数の６極フェライトマグネット３２を収納したマグネット収納部４とを組み合わせるようにして構成している。そして、このような殺菌／殺藻装置１の装置本体１０をクーリングタワーなどの循環装置の循環水（冷却水）中に投入し、制御装置４０の電源から夫々銀電極棒２１と銅電極棒２２を通電するようにしている。これにより、後述する金属イオンと緑色片岩３１、６極フェライトマグネット３２の相乗効果により循環装置内の循環水の殺菌、殺藻を行うことができる。なお、制御装置４０の電源による銀電極棒２１及び銅電極棒２２の通電時間はクーリングタワーの水量などにより適宜設定すれば良い。
【００１９】
以下、第１の実施形態の殺菌／殺藻装置１を用いてクーリングタワーの殺菌、浄化を行う場合について説明する。
図６は第１の実施形態の殺菌／殺藻装置を用いてクーリングタワーの殺菌、浄化を行う場合のシステム構成を示した図である。
この図６に示すクーリングタワー（冷却塔）５１は、下部水槽５２の冷却水（循環水）を、配管５３を通して熱交換器６１に送り、熱交換器６１において配管６２内の冷却水と熱交換を行うようにしている。熱交換器６１により暖められた暖水は、クーリングタワー５１の上部に設けられている散水槽５４に供給される。散水槽５４では熱水を水滴にして上から流しながら、送風機５５により風を送り外気と接触させることで温度を下げるようにしている。このようにして冷却された循環水はクーリングタワー５１内の充填部材５６を通って下部水槽５２に貯水される。なお、熱交換器６１により熱交換が行われ、冷却された配管６２内の循環水は工場６３等において冷却水として使用される。
【００２０】
クーリングタワー５１に対して第１の実施形態の殺菌／殺藻装置１を使用する場合は、クーリングタワー５１内の下部水槽５２に装置本体１０を投入する。そして、クーリングタワー５１の外部に設置した制御装置４０の電源から装置本体１０の金属イオン発生部２に配置した銀電極棒２１、銅電極棒２２、ステンレス棒２３に所定電圧を供給することで、銀電極棒２１の銀と銅電極棒２２の銅を効率良く電気分解し、電気分解した金属イオンと６極フェライトマグネット３２の磁力によりクーリングタワー５１の循環水中の細菌類や藻類を殺菌・殺藻すると共に、循環水を浄化して活性水にするようにしている。
【００２１】
さらに、この殺菌成分（金属イオン）と共に、天然セラミック収納部３に収納した無機物である緑色片岩３１により殺菌効果の発現作用を最大限に引き出すようにしている。具体的には、緑色片岩３１を担体として緑色片岩の連続多孔質の孔や結晶格子中に殺菌成分である銀／銅イオンの化合物、あるいは金属単体のコロイドなどを担持させることによって、殺菌成分の放出速度、殺菌効果、妨害要因への対処方法などを相乗的に科学作用させるようにしている。担体として緑色片岩３１を活用することで、溶解によるイオンとの合体性で微量濃度の金属イオンによる殺菌力を発揮させることができる。
また第１の実施形態では、金属イオン発生部２と緑色片岩３１に加えて、６極フェライトマグネット３２を収納したマグネット収納部４を組み合わせたことで、６極フェライトマグネット３２の反発セットにより水の通水時に水分子構造を微細化させる働きも促し、殺菌作用と水質浄化作用の複合的相乗作用をもたらすようにしている。
【００２２】
ここで、殺菌／殺藻装置１の各部の殺菌／殺藻機能について説明しておく。
金属イオン発生部２では、銀を水中で電気分解することにより銀イオンを生成させ、銀イオンを細菌に接触させることにより細菌を不活性化させ死滅させる。細菌は体面の細胞膜と細胞壁との間の呼吸を司る呼吸連鎖酵母が存在し、様々な役割を持つ組織から成り立っている。これらの呼吸鎖酵母のうち、−ＳＨ基を有する酵素は、酵素のタンパク質構造の維持、酵素活性などの大変重要な役割をしている。
ここに、銀イオンが置換反応し、−ＳＡｇ基に変質することにより、これらの酵母の活性が失われ細菌は不活性化する。−ＳＨ基の他に−ｓ−ｓ（システィン結合）を持つものが存在するが、銀イオンは同様の効果を発揮し殺菌する。
【００２３】
また同様に銅を水中で電気分解することにより銅イオンを生成させ、銅イオンを細菌に接触させることにより細菌を不活性化させ死滅させる。理論は上記銀と同じである。銅イオンが０．０４ｐｐｍ（４０ｐｐｂ）達すると大腸菌群の大半は生存できなくなり死滅する。大腸菌群以外の菌でも同様であると推定されている。
また銀イオンは細菌の細胞酵素をブロッキングして短時間で死滅させ、有機物を減少させる。これに伴い、原生動物や水中懸濁物も減少し濁度は澄んだ状態になる。銅イオンは銀イオンより殺菌作用は若干劣るが、銅イオンは藻類に強く吸着し生育を阻害し死滅させる。レジオレネラ族菌群は藻類やアメーバと共生し増殖するために、その根源の藻類に有効に作用する銅イオンを活用し相乗効果を引き出すようにしている。
【００２４】
また天然セラミックである緑色片岩３１の機能としては、緑色片岩３１は、その表面は負又は正の電荷を持っているため、水中のイオンとイオン交換を素早く行うことが出来る。また緑色片岩３１は負の状態が多いため、陽イオン（カルシウム、マグネシウム等）を引きつける。これによって配管５３や熱交換器６１へのスライムやスケールの付着を抑止することができ、水中イオンが減少すると、電気伝導率も低下する。また緑色片岩３１は、水を保持する力が強く、表面張力が小さいので物質が吸着しやすい状態になっており、吸着飽和点に達する時間が長期間維持される連続多孔質（特殊ランダム層）という形態にあるため、批評面積が大きくその分、吸着能力に優れ、この高い吸着力によって水中の金属化合物やトリハロメタンなどを吸着補足することができる。
【００２５】
さらに緑色片岩３１は、遠赤外線放射力により水の分子構造を置換、浸透性・洗浄性を向上させるので、強固なスケールやスライムを徐々に剥離溶質し、正常な設備部材面を復活させることができる。さらにまた緑色片岩３１には酸化と還元のバランスを保つ鉄塩の２価鉄と３価鉄が３：１の割合で含有しており、水中の酸素によって酸化還元反応が起こり、微弱電流が発生しイオン化を促進する。また緑色片岩３１自身からマイナスイオンが発生し、酸化度を示す指標となる酸化還元電位を低下させる働きをします。すなわち、還元性が強くなって設備内の部材や配管５３内壁のスケール等を剥離溶質し易くする作用がある。
【００２６】
また６極フェライトマグネット３２の作用としては、水分子の酸素原子と水素原子との結合電子対の酸素原子電気陰性度特性電子を引き寄せる力が水素原子より大きいため、幾分水素原子側に偏っている酸素原子とマイナスイオン水素原子はプラスに帯電し、正電荷の重心と負電荷の重心が一致しないため、水分子は極性分子であると共に、双極子モーメントを持っている。双極子モーメントがあるために水分子中のマイナス電荷を持つ酸素原子とプラス電荷を持つ水分子間にクーロン力が働き水素結合を形成する。
【００２７】
水素結合体をより効果的にするために、水を６極フェライトマグネット３２に強制的に触れさせることにより、変性反発微弱磁気水に変換させて水に磁気密度の変化を生じさせる。原理構造は酸素原子１個と水素原子２個が電子の共有結合により、一体となっている化合物であるので、各電子は自転と原子核の周りを周転する２回路の回転運動を行っており、各電子は電荷を持っているので、２種類の磁場を形成しているため回転している電子自体の回転によるＮ極、Ｓ極の特性を活かし、６極フェライトマグネット３２を利用して反発磁性にし、エネルギー体の作用による水素結合により多数集合してクラスターを形成し、高分子的な構造に乱れを生じさせる磁場、電子の運動を増幅させて水の分子構造に変性作用の働きをさせることにより、水の浄化に適したエネルギー積を発生させる。６極フェライトマグネットにより水に自由電子の誘発と分子構造の変化、物理、化学的物性の変性現象で浄化を促すようにしている。
これにより、第１の実施形態の殺菌／殺藻装置１の装置本体１０をクーリングタワー５１など循環装置の循環水（冷却水）中に投入しておくことで、循環装置内の循環水の殺菌、殺藻を行うことができる。
【００２８】
ところで、上記した殺菌／殺藻装置１は、図７（ａ）に示すようにクーリングタワー５１の下部水槽５２に貯水した循環水の中に装置本体１０を投入して浸漬することにより、クーリングタワー５１内を循環する循環水の殺菌殺藻を行うようにしているが、この場合は循環水に含まれている不純物が銀電極棒２１や銅電極棒２２、ステンレス棒２３等の金属電極に付着して金属電極の通電率が低下し、これに伴って殺菌／殺藻能力が低下する虞がある。
また、クーリングタワー５１の下部水槽５２に貯水した循環水は流れが弱いため、銀電極棒２１や銅電極棒２２等の金属電極から溶けた金属イオンが結晶化して金属電極に付着することにより形成される金属イオンの膜により金属電極の通電率が低下して殺菌／殺藻能力が低下したり、或いは金属イオンの再結晶化により金属電極が膨張して＋側の金属電極と−側の金属電極が接触して短絡したりする虞がある。
【００２９】
そこで、次に上記したような不具合が発生することが無い本発明の殺菌／殺藻装置の第２の実施形態について説明する。
第２の実施形態の殺菌／殺藻装置７０は、図７（ｂ）に示すように、装置本体８０と制御装置９０とから構成され、クーリングタワー５１の下部水槽５２に貯水した循環水の水面上に設置することにより、クーリングタワー５１内を循環する循環水の殺菌殺藻を行うようにしている。この場合、装置本体８０内の散水管には、外部給水栓９２から水の供給を断続する電磁弁（断続手段）９１を介して水を供給できるように構成されている。電磁弁９１は制御装置９０により制御が行われる。
【００３０】
図８は本発明の第２の実施形態に係る殺菌／殺藻装置の概略構成を示した外観斜視図である。また図９は第２の実施形態の殺菌／殺藻装置本体の内部構成を示した図であり、（ａ）はその上面図、（ｂ）は正面図、（ｃ）は側面図である。
なお、図１及び図２と同一部位には同一符号を付して重複する説明は省略する。
図８に示す第２の実施形態の殺菌／殺藻装置７０は、装置本体８０と、装置本体８０に駆動電圧を供給するための電源等を備えた制御装置９０とから構成される。
【００３１】
この場合、装置本体８０は矩形状の容器によって構成され、その内部に上記したような金属電極を収納した金属イオン発生部と、天然セラミックである緑色片岩３１を収納したセラミック収納部３と、６極フェライトマグネット３２を収納したマグネット収納部等が設けられている。この場合も、金属イオン発生部では、図示していない複数本の銀電極棒２１と、複数本の銅電極棒２２とが直線状に取り付けられている。また、これらの銀電極棒２１と銅電極棒２２と対をなすように複数本のステンレス棒２３が同じく直線上に取り付けられ、これら銀電極棒２１、銅電極棒２２及びステンレス棒２３には、配線１２、１２を介して制御装置９０の電源から間欠的に直流電圧を印加するようにしている。なお、この図９に示す例では銀電極棒２１と銅電極棒２２との間を仕切板８１により仕切るようにしている。
【００３２】
装置本体８０内の底面側の中央付近には、散水管８２が配置されており、制御装置４０の制御により外部給水栓から供給される水を散水するようにしている。
また装置本体８０の長手方向側面の上方には、内部に貯水した水を外部に流出させる流出口８３が設けられている。なお、第２の実施形態では、装置本体８０の側面の両側に設けられている流出口８３、８３の高さが異なっており、通常はセラミック収納部３側の流出口８３から装置本体内の水を流出させる構造になっている。
【００３３】
図１０は制御装置９０の内部構成を示した図である。
この図１０に示す制御装置９０は、商用電源に接続されて漏電を遮断する漏電遮断器９３と、漏電遮断器９３を介して供給される商用電圧の所定時間だけオンにするタイマ装置９４と、タイマ装置９４がオンになったときに供給される交流電圧を所定レベルの直流電圧に変換して金属電極に供給するＡＣ／ＤＣ電源９５と、タイマ装置９４がオンになったときに供給される交流電圧により外部給水栓９２から装置本体８０の散水管８２へ給水が行われるように弁を開放し、それ以外は外部給水栓９２から散水管８２への給水を止水する電磁弁９１とを備えている。
【００３４】
従って、このような第２の実施形態の殺菌／殺藻装置７０によれば、銀イオンと銅イオンを水中に溶解して放出する金属イオン発生部と、天然セラミックである緑色片岩を収納した天然セラミック収納部と、複数のマグネットを収納したマグネット収納部とを備える装置本体８０をクーリングタワー５１の循環水の水面上に配置して、金属電極への通電と同時に外部給水栓９２から散水管８２を通して装置本体８０内に給水を行うことで金属イオンと天然セラミックの成分が溶け出した水が装置本体８０の側面上方に位置する流出口８３からクーリングタワー５１の下部水槽に流入させるようにした。これにより、クーリングタワー５１の循環水中に含まれる細菌類や藻類を殺菌・殺藻すると共に、マグネット収納部のマグネットの反発により水の通水時に水分子構造を微細化させる働きを促すことで殺菌作用と水質浄化作用と複合的に行うことが可能になる。この結果、第１の実施形態と同様、塩素系殺菌剤を使用したときのように循環装置内の設備を傷めることなく、クーリングタワー５１内の循環水の殺菌／殺藻を行うことが可能になる。
【００３５】
また第２の実施形態では、装置本体８０をクーリングタワー５１の循環水の水面上に配置し、金属イオンと天然セラミックの成分が溶け出した水をクーリングタワー５１の循環水に含ませるようにした。これにより、クーリングタワー５１の循環水に含まれる不純物が装置本体８０内の金属電極に付着して、金属電極の通電率が低下することにより、殺菌／殺藻装置の殺菌／殺藻能力が低下するのを防止することができる。
さらに、第２の実施形態では、制御装置９０により金属電極の通電と散水管８２からの散水が同時に行われるように制御することで、金属電極から金属イオンが発生する際に金属電極周辺の水を対流させ、金属電極から溶けた金属イオンが結晶化して金属電極に付着するのを防止するようにした。これにより、金属イオンが結晶化することにより金属電極に金属イオン膜が形成され、金属電極の通電率が低下することにより、殺菌／殺藻装置の殺菌／殺藻能力が低下したり、或いは金属イオンの再結晶化により金属電極が膨張して＋側の金属電極と−側の金属電極が接触して短絡したりするといった不具合の発生を防止することができる。
【００３６】
なお、本実施形態では、本発明の殺菌／殺藻装置の電源として商用電源を用いる場合を例に挙げて説明したが、商用電源に限らず太陽光により発電を行うソーラ発電機と蓄電装置とにより構成されるソーラ電源を用いることも可能である。ソーラ電源を利用すると、商用電源コンセントが設けられていない場所などにも容易に設置することができるという利点がある。
【００３７】
また、本実施形態では循環装置としてクーリングタワーを例に挙げて説明したが、これはあくまでも一例であり、例えば浴場や人口池、養殖場、発電所等の循環装置にも適用可能である。
また本実施の形態では、金属イオン発生部と、天然セラミック収納部と、マグネット収納部とを組み合わせて殺菌／殺藻装置を構成したが、６極フェライトマグネット３２を収納したマグネット収納部４は必ずしも設けなくとも殺菌／殺藻装置を構成することは可能である。
【図面の簡単な説明】
【００３８】
【図１】本発明の第１の実施形態に係る殺菌／殺藻装置の概略構成を示した外観斜視図。
【図２】第１の実施形態の殺菌／殺藻装置本体の内部構成を示した図。
【図３】制御装置の内部構成を示した図。
【図４】天然セラミックである緑色片岩の組成表を示した図。
【図５】６極フェライトマグネットの構成を示した図。
【図６】第１の実施形態の殺菌／殺藻装置を用いてクーリングタワーの殺菌、浄化を行う場合のシステム構成を示した図。
【図７】本実施形態に係る殺菌／殺藻装置の設置例を示した図。
【図８】本発明の第２の実施形態に係る殺菌／殺藻装置の概略構成を示した外観斜視図。
【図９】第２の実施形態の殺菌／殺藻装置本体の内部構成を示した図。
【図１０】制御装置の内部構成を示した図。
【符号の説明】
【００３９】
１、７０…殺菌／殺藻装置、２…金属イオン発生部、３…セラミック収納部、１０、８０…装置本体、２１…銀電極棒、２２…銅電極棒、２３…ステンレス棒、３１…緑色片岩、３２…６極フェライトマグネット、４…マグネット収納部、４０、９０…制御装置、４１、９３…漏電遮断器、４２、４３、９４…タイマ装置、４４  ４５、９５…ＡＣ／ＤＣ電源、５１…クーリングタワー、８１…仕切板、８２…散水管、８３…流出口、９１…電磁弁、９２…外部給水栓
【図１】
2006346670.tif 000003
【図２】
2006346670.tif 000004
【図３】
2006346670.tif 000005
【図４】
2006346670.tif 000006
【図５】
2006346670.tif 000007
【図６】
2006346670.tif 000008
【図７】
2006346670.tif 000009
【図８】
2006346670.tif 000010
【図９】
2006346670.tif 000011
【図１０】
2006346670.tif 000012